(57)【特許請求の範囲】
【請求項１】
スラットを上下に連ねたシャッター本体の上部に複数本のパイプ部材を間隔をおいて平行にリンクによって連結した格子状の開放部を有するシャッターにおいて、
前記パイプとリンクが連結する関節部に、シャッター巻上時にスラットに当たるリンクの接触部を覆う樹脂製の傷防止カバー部材を装着し、前記傷防止カバー部材が、硬質樹脂を材質とする半円筒状の本体部と、軟質樹脂を材質とし前記本体部の外周面の曲率に対応した円弧状で前記本体部の外周面から盛り上がっている、前記スラットに接触する接触部とが一体的構造をなし、前記本体部には前記リンクの折れ曲がりを許容する切欠溝が前記接触部を間においてその両側に形成されていることを特徴とするシャッター。
【発明の詳細な説明】
【０００１】
【発明の属する技術分野】
本発明は、店舗、事務所の間口に取り付けられるシャッターに係り、特に、上部開放型のシヤッターに関する。
【０００２】
【従来の技術】
シャッターは、多数のスラットをリンクで上下に吊り下げたスラットカーテンからなるものである。建物によっては、建築基準法による規制を受けて、火災が発生した非常時の排煙面積を確保するために、シャッター上部に空間の開いているいわゆる上部開放型のシャッターの設置が定められている。
【０００３】
この種の上部開放型のシャッターでは、その上部は、金属製の複数のパイプを一定の間隔で水平にリンクを介して連結した構造になっている。上部開放型のシャッターでは、巻き上げたときに、上部のリンクがシャッター下部のスラットに当たって傷がつくという問題がある。
【０００４】
巻き上げ時にスラットに傷がつかないように、従来から種々の傷防止の対策が講じられている。その一つとして、パイプを連結するリンクの関節部に軟質樹脂製のリングを取り付け、巻き上げたときにはリンクではなく軟質樹脂製リングがスラットに当たるようにして、スラットに傷が付かないようにしている。
【０００５】
しかし、この軟質樹脂製リングは、リング状であることからスラットに当たりそうな箇所に後から装着するというように後付けができないため、シャッターの製造時にリンクの組み立てのときにいっしょに装着しておかなければならない。また、リンクの関節部にリベットを打って固定するために経時的に強度が低下し、長い間使っているうちに外れてしまうことがあるが、後付けできないため新しいリングに取り替えられないという不都合がある。
【０００６】
他方、スラットにリンクが金属接触しないようにする樹脂製のナックルピースをリンクの関節部に後付けできるようにしたものとして、実公平５−２７６７４号で提案されているシャッターがある。
【０００７】
図８、図９に示すように、このナックルピース９は、上下のリンク８、８の間の枢結接続部を貫通する桟棒４の貫通部の左右側傍に弾性変形により外嵌する断面半円形状をなす左右の各耳部９ａ、９ａと、各耳部９ａ、９ａの間を桟棒４の至近に沿って接続接続結合させる当たり板９ｂと、の樹脂材による一体成型により形成されている。したがって、破損したときには、耳部９ａ、９ａをコジルようにして桟棒４から取り外し、逆に、新しいナックルピース９の耳部９ａ、９ａを桟棒４に押し付けて簡単に取り付けることができる。
【０００８】
【発明が解決しようとする課題】
しかしながら、ナックルピース９は、その全体が硬質樹脂材料からなっており、図８に示すように、巻き上げる過程でスラット７の表面に対してナックルピース９の当たり板９ｂの角の部分があたり、何回もシャッターの開閉を繰り返しているうちに、スラットに傷がつくという問題がある。
【０００９】
そこで、本発明の目的は、前記従来技術の有する問題点を解消し、シャッターの巻き上げ時にスラットに傷の生じるのを確実に防止できるようにしたシャッターを提供することにある。
【００１０】
【課題を解決するための手段】
前記の目的を達成するために、本発明は、前記パイプとリンクが連結する関節部に、シャッター巻上時にスラットに当たるリンクの接触部を覆う樹脂製の傷防止カバー部材を装着し、前記傷防止カバー部材が、硬質樹脂を材質とする半円筒状の本体部と、軟質樹脂を材質とし前記本体部の外周面の曲率に対応した円弧状で前記本体部の外周面から盛り上がっている、前記スラットに接触する接触部とが一体的構造をなし、前記本体部には前記リンクの折れ曲がりを許容する切欠溝が前記接触部を間においてその両側に形成されていることを特徴とするものである。
【００１１】
【発明の実施の形態】
以下、本発明によるシャッターの一実施形態について、添付の図面を参照しながら説明する。
【００１２】
図３は、本発明が適用されるシャッターの全体を示す正面図である。この図３において、参照符号１０がシャッター本体、１２が軒天部に取り付けられる巻き取り部である。この実施形態では、巻き取り部１２は手動式として構成されており、ケース１３の内部には、巻胴１５が設けられ、この巻胴１５は、巻取スプリング１６が巻装された巻取シャフト１４によって回転自在に支承されている。
【００１３】
シャッター本体１０は、細長いスラット１８を多数枚連続して連ねたスラットカーテン部と、本体上部の開放部２０とから構成される、いわゆる上部開放型のシャッターである。開放部２０は、所定の間隔を開けた水平な複数本の金属製のパイプＡをリンク３０によって連結した格子構造になっている。
【００１４】
次に、図１は、シャッター本体１０の開放部２０の構成を詳細に示す正面図図である。この図１において、２６は、シャッター本体１０の最上部に位置する吊元スラットで、この吊元スラット２６は、図３に示した巻胴１５に係着されるようになっている。この吊元スラット２６からは、複数枚の吊金具２７を介してｎ本の金属製のパイプからなる開放部２０が吊り下げられている。この場合、最上位のパイプＡ1から最下位のパイプＡｎまで連続して２枚一組のリンク部材３０、３０を関節部Ｂ1乃至Ｂｎで連結されている。このようなリンク部材３０、３０のリンク列は、複数列設けられている。なお、シャッター本体１０の開放部は、最下位のパイプＡｎをもって終端し、このパイプＡｎから下側は、スラット１８が連続的につながっているスラットカーテン部である。
【００１５】
本発明では、開放部２０において、関節部Ｂ1乃至Ｂｎのうち、シャッター本体を巻き上げたときに、リンク部材３０とスラット１８とが金属接触する可能性のある位置にある関節部には、傷防止カバー部材４０が着脱可能に装着されている。
【００１６】
そこで、図４乃至図６に傷防止カバー部材４０の詳細な構造を示す。ここで、図４は、傷防止カバー部材４０の側面図、図５は、傷防止カバー部材４０の端面を示す図、図６は、図４におけるＡ−Ａ断面を示す図である。
【００１７】
この実施形態による傷防止カバー部材４０は、硬質樹脂、例えば、ポリアスタール（ＰＯＭ）を材質とする略半円筒状のカバー本体部４２と、このカバー本体部４２の外周面の中央部に一体的に形成されている接触部４４からなる一体構造のカバーである。接触部４４は、カバー本体部４２の材質樹脂とは異なり、軟質樹脂、例えば、塩化ビニール（ＰＶＣ）、あるいはウレタン系エラストマを材質としている。
【００１８】
図５に示されるように、カバー本体部４２の両側は、Ｃ字形のボス部４５が形成されており、このボス部４５がパイプＡｎに嵌合することになっている。この場合、ボス部４５の開いた端部４６ａ、４６ｂがパイプＡｎに嵌合させるときに外側に撓んで開くため、パイプＡｎに押し付けることによって嵌合させることができる。逆に、取り外す場合は、ドライバーなどを使って開くことで、簡単に取り外しすことができるので、後付けにより傷防止カバー４０を装着できるともに、交換も簡単にできる。
【００１９】
カバー本体部４２においては、接触部４４を間においてその両側には、切欠溝４７ａ、４７ｂが形成されている。この切欠溝４７ａ、４７ｂには、図１に示されるように、リンク３０が入り、関節部Ｂｎを中心とするリンク３０、３０の折れ曲がりが許容されるようになつている。また、接触部４４の両側の頂面部４８ａ、４８ｂは、巻き取られたときにリンク３０、３０がスラット１８に金属接触する部分を覆う保護部として機能する。
【００２０】
次に、図６に示されるように、硬質樹脂製の接触部４４は、カバー本体部４２の外周面の曲率に対応した円弧状の細長い薄板であり、この実施形態では、接着剤によってカバー本体部４２に接着されている。もちろん、カバー本体部４２と接触部４４とを一体に射出成形により成形するようにしてもよい。なお、図６に示されるように、接触部４４の上面の接触面は、カバー本体部４２の外周面よりも高く盛り上がっており、これにより、スラット１８とは接触部４４だけが接触し、硬質樹脂製のカバー本体部４２は接触せず、これにより、カバー本体部４２の摩耗を防止している。
【００２１】
次に、図７を参照しながら、シャッター本体を巻き上げたときの傷防止カバー４０の作用効果について説明する。
【００２２】
図７は、シャッター本体が巻胴１５に巻き上げられた状態を示している。シャッター本体の上部開放部２０を構成するパイプＡｎは、Ａ１からＡ１７まであり、パイプＡ１７から下は、スラット１８が連続するスラットシャッター部になっている。
【００２３】
シャッター本体を巻胴１５で巻き上げた場合、一巻き目、二巻き目は、パイプＡｎが巻き上げられ、三巻き目からはスラット１８がパイプＡ７からＡ１７の上に巻かれていく。したがって、傷防止カバー４０は、パイプＡ７からＡ１７とリンク３０との関節部に装着されている。
【００２４】
図７に明瞭に示されているように、リンク３０がスラット１８に当たる位置、角度は、そのパイプによって様々である。しかしながら、傷防止カバー部材４０を装着することで、スラット１８とどのような当たり方をしても、硬質のカバー本体部４２ではなく軟質樹脂製の接触部４４がスラット１８に当たるため、確実に傷の発生を防止できる。
【００２５】
傷防止カバー部材４０の接触部４４は、スラットと曲面で接触し、しかも、スラット１８に当たったときに傷防止カバー４０はリンク３０の動くに追従して若干パイプＡｎ回りに動けるようになっているので、当たりが柔らかであり、長期間に亘ってシャッターの開け閉めを繰り返してもスラット１８に傷が付くことがない。
【００２６】
【発明の効果】
以上の説明から明らかなように、本発明によれば、前記パイプとリンクが連結する関節部に、シャッター巻上時にスラットに当たるリンクの接触部を覆う樹脂製の傷防止カバー部材を装着し、前記傷防止カバー部材が、硬質樹脂を材質とする半円筒状の本体部と、軟質樹脂を材質とし前記本体部の外周面の曲率に対応した円弧状で前記本体部の外周面から盛り上がっている、前記スラットに接触する接触部とが一体的構造をなし、前記本体部には前記リンクの折れ曲がりを許容する切欠溝が前記接触部を間においてその両側に形成されているので、シャッターの巻上時にスラットに傷の生じるのを確実に防止できる。
【図面の簡単な説明】
【図１】本発明によるシャッターの上部開放部を示す正面図。
【図２】図１のシャッターの上部開放部の側面図。
【図３】本発明が適用されるシャッター全体の正面図。
【図４】シャッターのリンク関節部に装着される傷防止カバー部材の側面図。
【図５】図４の傷防止カバー部材の端面図。
【図６】図４のＡ−Ａ断面図。
【図７】シャッターが巻き取られた状態を示す図。
【図８】従来のシャッターを巻き取ったときのスラットとリンクの当たる状態を説明する図。
【図９】従来の傷防止部材を示す斜視図。
【符号の説明】
１０  シャッター本体
１２  巻取部
１３  ケース
１４  巻取シャフト
１５  巻胴
１８  スラット
２０  開放部
３０  リンク
４０ 傷防止カバー部材
４２  カバー本体
４４  接触部
４５  ボス部
Ａｎ  パイプ
Ｂｎ  関節部
【図１】
0004979861.tif 000002
【図２】
0004979861.tif 000003
【図３】
0004979861.tif 000004
【図４】
0004979861.tif 000005
【図５】
0004979861.tif 000006
【図６】
0004979861.tif 000007
【図７】
0004979861.tif 000008
【図８】
0004979861.tif 000009
【図９】
0004979861.tif 000010